【手続補正書】
【提出日】平成28年4月28日(2016.4.28)
【手続補正１】
【補正対象書類名】特許請求の範囲
【補正対象項目名】全文
【補正方法】変更
【補正の内容】
【特許請求の範囲】
【請求項１】
操作手段の操作を要求する操作演出が表示され、当該操作演出の要求に応じて前記操作手段が操作された場合に、当該操作演出に応じた演出結果を報知させる遊技機において、
各種画像を表示可能な第１演出表示領域と、
各種画像を表示可能な第２演出表示領域が設けられ、
前記第１演出表示領域は、前記第２演出表示領域と比較して、遊技者に注目される画像が表示されやすくなっており、
前記第１演出表示領域と前記第２演出表示領域において、同時期に、前記操作演出が表示可能となったことを示す表示可能条件がそれぞれ成立した場合、前記第２演出表示領域において前記操作演出を表示させることを規制することを特徴とする遊技機。
【請求項２】
前記第１演出表示領域を構成する装置と、前記第２演出表示領域を構成する装置は、別体であることを特徴とする請求項１に記載の遊技機。
【請求項３】
前記第１演出表示領域には、図柄変動ゲームが表示される一方、前記第２演出表示領域には、実行が保留されている図柄変動ゲームに係わる保留情報が表示されることを特徴とする請求項１又は請求項２に記載の遊技機。
【請求項４】
遊技球が入球する第１入球口と、
遊技球が入球する第２入球口と、
前記第２入球口が閉状態又は開状態となるように動作する開閉手段と、を備え、
前記第１演出表示領域には、前記第１入球口及び前記第２入球口への遊技球の入球を契機として実行されうる図柄変動ゲームが表示される一方、前記第２演出表示領域には、開閉手段が開状態となるか否かを示す普通図柄変動ゲームが表示されることを特徴とする請求項１又は請求項２に記載の遊技機。
【請求項５】
前記第１演出表示領域には、第１の図柄変動ゲームが表示される一方、前記第２演出表示領域には、第２の図柄変動ゲームが表示されるように構成され、
前記第１の図柄変動ゲームと前記第２の図柄変動ゲームは、重複した期間において共に実行可能であり、
前記第１の図柄変動ゲームにて当り遊技が生起された場合には、前記第２の図柄変動ゲームにて当り遊技が生起された場合と比較して遊技者に有利となりやすく構成されていることを特徴とする請求項１又は請求項２に記載の遊技機。
【請求項６】
前記第１演出表示領域には、実行が保留されている図柄変動ゲームに係わる保留情報が表示される一方、前記第２演出表示領域には、図柄変動ゲームが表示されるように構成されており、
前記保留情報は、保留中の図柄変動ゲームについて遊技者に有利な特別遊技状態が付与されるか否かについて示唆する情報であることを特徴とする請求項１又は請求項２に記載の遊技機。
【請求項７】
遊技球が入球する第１入球口と、
遊技球が入球する第２入球口と、
前記第２入球口が閉状態又は開状態となるように動作する開閉手段と、を備え、
前記第１演出表示領域には、前記開閉手段が開状態となることを示す報知画像が表示される一方、前記第２演出表示領域には、前記第１入球口及び前記第２入球口への遊技球の入球を契機として実行されうる図柄変動ゲームが表示されることを特徴とする請求項１又は請求項２に記載の遊技機。
【手続補正２】
【補正対象書類名】明細書
【補正対象項目名】０００５
【補正方法】変更
【補正の内容】
【０００５】
この発明は、このような従来の技術に存在する問題点に着目してなされたものであり、その目的は、操作手段の操作を要求する操作演出の興趣を向上する遊技機を提供することにある。
【手続補正３】
【補正対象書類名】明細書
【補正対象項目名】０００６
【補正方法】変更
【補正の内容】
【０００６】
上記問題点を解決する遊技機は、操作手段の操作を要求する操作演出が表示され、当該操作演出の要求に応じて前記操作手段が操作された場合に、当該操作演出に応じた演出結果を報知させる遊技機において、各種画像を表示可能な第１演出表示領域と、各種画像を表示可能な第２演出表示領域が設けられ、前記第１演出表示領域は、前記第２演出表示領域と比較して、遊技者に注目される画像が表示されやすくなっており、前記第１演出表示領域と前記第２演出表示領域において、同時期に、前記操作演出が表示可能となったことを示す表示可能条件がそれぞれ成立した場合、前記第２演出表示領域において前記操作演出を表示させることを規制することを要旨とする。
【手続補正４】
【補正対象書類名】明細書
【補正対象項目名】０００７
【補正方法】変更
【補正の内容】
【０００７】
上記遊技機において、前記第１演出表示領域を構成する装置と、前記第２演出表示領域を構成する装置は、別体であるようにしてもよい。
上記遊技機において、前記第１演出表示領域には、図柄変動ゲームが表示される一方、前記第２演出表示領域には、実行が保留されている図柄変動ゲームに係わる保留情報が表示されるようにしてもよい。
【手続補正５】
【補正対象書類名】明細書
【補正対象項目名】０００８
【補正方法】変更
【補正の内容】
【０００８】
上記遊技機において、遊技球が入球する第１入球口と、遊技球が入球する第２入球口と、前記第２入球口が閉状態又は開状態となるように動作する開閉手段と、を備え、前記第１演出表示領域には、前記第１入球口及び前記第２入球口への遊技球の入球を契機として実行されうる図柄変動ゲームが表示される一方、前記第２演出表示領域には、開閉手段が開状態となるか否かを示す普通図柄変動ゲームが表示されるようにしてもよい。
【手続補正６】
【補正対象書類名】明細書
【補正対象項目名】０００９
【補正方法】変更
【補正の内容】
【０００９】
上記遊技機において、前記第１演出表示領域には、第１の図柄変動ゲームが表示される一方、前記第２演出表示領域には、第２の図柄変動ゲームが表示されるように構成され、前記第１の図柄変動ゲームと前記第２の図柄変動ゲームは、重複した期間において共に実行可能であり、前記第１の図柄変動ゲームにて当り遊技が生起された場合には、前記第２の図柄変動ゲームにて当り遊技が生起された場合と比較して遊技者に有利となりやすく構成されているようにしてもよい。
【手続補正７】
【補正対象書類名】明細書
【補正対象項目名】００１０
【補正方法】変更
【補正の内容】
【００１０】
上記遊技機において、前記第１演出表示領域には、実行が保留されている図柄変動ゲームに係わる保留情報が表示される一方、前記第２演出表示領域には、図柄変動ゲームが表示されるように構成されており、前記保留情報は、保留中の図柄変動ゲームについて遊技者に有利な特別遊技状態が付与されるか否かについて示唆する情報であるようにしてもよい。
【手続補正８】
【補正対象書類名】明細書
【補正対象項目名】００１１
【補正方法】変更
【補正の内容】
【００１１】
上記遊技機において、遊技球が入球する第１入球口と、遊技球が入球する第２入球口と、前記第２入球口が閉状態又は開状態となるように動作する開閉手段と、を備え、前記第１演出表示領域には、前記開閉手段が開状態となることを示す報知画像が表示される一方、前記第２演出表示領域には、前記第１入球口及び前記第２入球口への遊技球の入球を契機として実行されうる図柄変動ゲームが表示されるようにしてもよい。
【手続補正９】
【補正対象書類名】明細書
【補正対象項目名】００１２
【補正方法】変更
【補正の内容】
【００１２】
本発明によれば、操作手段の操作を要求する操作演出の興趣を向上することができる。